【事件の表示】
　特許第５９９６９９３号発明「情報処理システム、情報処理装置、情報処理サーバ、情報処理方法、および情報処理プログラム」の特許異議申立事件について、次のとおり決定する。
【結　論】
　特許第５９９６９９３号の特許請求の範囲を訂正請求書に添付された特許請求の範囲のとおり訂正後の請求項１、２、３、４、５、６、７、８、９について訂正することを認める。
　特許第５９９６９９３号の請求項１ないし２及び４ないし９に係る特許を維持する。
   特許第５９９６９９３号の請求項３に係る特許についての申立てを却下する。
【理　由】
第１．手続の経緯
　特許第５９９６９９３号の請求項１−９に係る特許についての出願は、平成２４年１０月１日の特許出願であって、平成２８年９月２日にその特許権の設定登録がされ、その特許に対して、平成２９年３月９日に特許異議申立人　特許業務法人にじいろ特許事務所により特許異議の申立てがされた。そして、平成２９年６月１５日付けで取消理由が通知され、その指定期間内である平成２９年８月１６日に特許権者により意見書の提出及び訂正の請求があり、その後、特許異議申立人により平成２９年９月２６日付けで意見書が提出されたところである。
第２．訂正の適否についての判断
１．訂正の内容
　平成２９年８月１６日付けの訂正請求（以下、「本件訂正請求」という。）による訂正の内容は以下の訂正事項１−９のとおりである。なお、下線は訂正部分を示す。
（１）訂正事項１
　特許請求の範囲の請求項１に「を備えることを特徴とする」と記載されているのを、「を備え
、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報であり、前記設定手段は、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する
（２）訂正事項２
　特許請求の範囲の請求項２に「前記期間設定情報は、前記投稿情報内容の優先度を示す情報を含み、前記設定手段は、前記投稿情報から複数の投稿情報内容が抽出される場合に、前記複数の投稿情報内容に応じて複数の表示期間を設定し、前記出力情報生成手段は、前記複数の表示期間が重なる期間において、前記期間設定情報に含まれる前記優先度に基づいて、前記投稿情報の出力情報を生成することを特徴とする、請求項１に記載の情報処理システム」と記載されているのを、
「投稿情報を取得する投稿情報取得手段と、前記投稿情報の内容を示す情報である投稿情報内容と、前記投稿情報を表示する期間である表示期間と、を予め対応づけた情報である期間設定情報を記憶する記憶手段と、前記投稿情報から投稿情報内容を抽出し、前記投稿情報内容に応じた前記表示期間を、前記投稿情報に設定する設定手段と、前記投稿情報に設定された前記表示期間に応じて表示態様を変えた前記投稿情報の出力情報を生成する出力情報生成手段と、を備え、
単一の
、前記単一の投稿情報に
単一の
（３）訂正事項３
　
特許請求の範囲の請求項３を削除
（４）訂正事項４
　特許請求の範囲の請求項４に「前記付加情報は、前記投稿情報の投稿者に関する情報である投稿者情報であることを特徴とする、請求項３に記載の情報処理システム」と記載されているのを、「投稿情報の投稿者
を識別する
識別
を取得する投稿情報取得手段と、前記投稿者識別情報と、前記投稿情報を表示する期間である表示期間と、を予め対応づけた情報である期間設定情報を記憶する記憶手段と、前記投稿者識別情報に応じた前記表示期間を、前記投稿情報に設定する設定手段と、前記投稿情報に設定された前記表示期間に応じて表示態様を変えた前記投稿情報の出力情報を生成する出力情報生成手段と、を備える
（５）訂正事項５
　特許請求の範囲の請求項５に「前記付加情報は、前記投稿情報の閲覧者に関する情報である閲覧者情報であることを特徴とする、請求項３又は４に記載の情報処理システム」と記載されているのを、「投稿情報の閲覧者
を識別する
識別
を取得する投稿情報取得手段と、前記閲覧者識別情報と、前記投稿情報を表示する期間である表示期間と、を予め対応づけた情報である期間設定情報を記憶する記憶手段と、前記閲覧者識別情報に応じた前記表示期間を、前記投稿情報に設定する設定手段と、前記投稿情報に設定された前記表示期間に応じて表示態様を変えた前記投稿情報の出力情報を生成する出力情報生成手段と、を備える
（６）訂正事項６
　特許請求の範囲の請求項６に「を備えることを特徴とする」と記載されているのを、「を備え
、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報であり、前記設定手段は、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する
（７）訂正事項７
　特許請求の範囲の請求項７に「を備えることを特徴とする」と記載されているのを、「を備え
、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報であり、前記設定手段は、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する
（８）訂正事項８
　特許請求の範囲の請求項８に「期間設定情報を記憶するステップと」と記載されているのを、「期間設定情報を記憶するステップ
であって、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報である、ステップ
であって、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する、ステップ
（９）訂正事項９
　特許請求の範囲の請求項９に「期間設定情報を記憶するステップと」と記載されているのを、「期間設定情報を記憶するステップ
であって、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報である、ステップ
であって、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する、ステップ
　
２．訂正要件についての判断
（１）一群の請求項要件
　訂正事項１、２に係る訂正前の請求項１−２について、訂正前の請求項２は訂正前の請求項１を引用するものであるから、この訂正は、一群の請求項〔１−２〕に対して請求されたものである。
　訂正事項３−５について、訂正前の請求項４、５は訂正前の請求項３を引用するものであるから、この訂正は、一群の請求項〔３−５〕に対して請求されたものである。
 
（２）訂正の目的の適否、新規事項の有無、及び特許請求の範囲の拡張・変更の存否
ア．訂正事項１、６−９について
　訂正事項１、６、７は、訂正前の請求項１、６、７の「投稿情報の内容を示す情報である投稿情報内容と、前記投稿情報を表示する期間である表示期間と、を予め対応づけた情報」である「期間設定情報」が、さらに、「
期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報」
前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する
　また、訂正事項８、９は、訂正前の請求項８、９の「投稿情報の内容を示す情報である投稿情報内容と、前記投稿情報を表示する期間である表示期間と、を予め対応づけた情報」である「期間設定情報」が、さらに、「
期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報」
前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する
　そして、訂正事項１、６−９の「
期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報」
前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する
　さらに、訂正事項１、６−９は、実質上特許請求の範囲を拡張し、又は変更するものではない。
イ．訂正事項２について
　上記訂正事項２は、訂正前の請求項２が請求項１を引用する記載であったものを、請求項１を引用しないものに書き改めたものであるから、他の請求項の記載を引用する請求項の記載を当該他の請求項の記載を引用しないものとすることを目的とするものである。
　さらに、訂正前の請求項２に記載された「複数の投稿情報内容」が抽出される「投稿情報」は、「単一の投稿情報」であることを特定するものであることから、特許請求の範囲の減縮をも目的とするものである。
　また、「単一の投稿情報」に関して、本件特許明細書【００３８】には「図７は、投稿情報に複数の投稿情報内容が含まれていた場合における表示の一例を示す図である」、及び段落【００３９】に「投稿情報７０２ａには、投稿情報内容として、「事故（ＩＤ：Ｃ００１）」および「花（ＩＤ：Ｃ００９）」が含まれており、それぞれの表示期間と表示態様が設定される。また、図３に示すように、それぞれの投稿情報内容には優先度が設定されている。例えば、投稿情報７０２ａの「事故（ＩＤ：Ｃ００１）」および「花（ＩＤ：Ｃ００９）」の２つの表示期間の設定に応じて、同一の表示時刻に対して「事故（ＩＤ：Ｃ００１）」および「花（ＩＤ：Ｃ００９）」の２つの表示態様が該当する場合が生じる。この場合には、出力情報生成手段２０３ｂは、優先度に基づいて表示時刻における表示態様とし、出力情報を生成する。具体的には、表示時刻が９：２５において、投稿情報７０１ａ（当審注：「７０２ａ」の誤記と認める。）に適用される表示期間は、投稿情報内容が「事故（ＩＤ：Ｃ００１）」である「投稿時刻から１時間」と、投稿情報内容が「花（ＩＤ：Ｃ００９）」である表示期間「投稿時刻から１ヶ月間」が設定される。ここで、投稿時刻と表示時刻に基づいて、現在「事故（ＩＤ：Ｃ００１）」と、「花（ＩＤ：Ｃ００９）」とがそれぞれ表示期間内である場合には、投稿情報内容に付与された優先度に基づき、表示優先度が「１」である「事故（ＩＤ：Ｃ００１）」の表示アイコンＩＤの表示態様を用いて、出力情報が生成される。一方、図７（ｂ）に示すように、表示時刻が１１：０５である場合には、「事故（ＩＤ：Ｃ００１）」の表示期間である「投稿時刻から１時間」に該当しなくなるため、「花（ＩＤ：Ｃ００９）」の表示アイコンＩＤの表示態様を用いて出力情報が生成される。」と記載されていることから、願書に添付した明細書、特許請求の範囲又は図面に記載した事項の範囲内のものである。
　さらに、訂正事項２は、実質上特許請求の範囲を拡張し、又は変更するものではない。
ウ．訂正事項３について
  上記訂正事項３は、請求項を削除するものであるから、特許請求の範囲の減縮を目的とする訂正であり、新規事項の追加に該当せず、実質上特許請求の範囲を拡張し、又は変更するものではない。
エ．訂正事項４について
　上記訂正事項４は、訂正前の請求項４が請求項３を引用する記載であったものを、請求項３を引用しないものに書き改めたものであるから、他の請求項の記載を引用する請求項の記載を当該他の請求項の記載を引用しないものとすることを目的とするものである。
　さらに、訂正前の請求項４に記載された「投稿情報の投稿者に関する情報」を、「投稿情報の投稿者
を識別する
識別
　また、「投稿情報の投稿者
を識別する
識別
　さらに、訂正事項４は、実質上特許請求の範囲を拡張し、又は変更するものではない。
オ．訂正事項５について
　上記訂正事項５は、訂正前の請求項５が請求項３又は請求項４を引用する記載であったものを、請求項４を引用しないものとした上で、請求項３を引用するものについて請求項間の引用関係を解消して、独立形式請求項へ書き改めたものであるから、他の請求項の記載を引用する請求項の記載を当該他の請求項の記載を引用しないものとすることを目的とするものである。
　さらに、訂正前の請求項５に記載された「投稿情報の投稿者に関する情報」を、「投稿情報の閲覧者
を識別する
識別
　また、「投稿情報の閲覧者
を識別する閲覧者識別
　さらに、訂正事項５は、実質上特許請求の範囲を拡張し、又は変更するものではない。
３．むすび
　以上のとおりであるから、本件訂正請求による訂正は特許法第１２０条の５第２項第１号及び第４号に掲げる事項を目的とするものであり、かつ、同条第４項及び同条第９項において準用する同法第１２６条第４項から第６項の規定に適合するので、本件訂正請求を認める。
第３．特許異議の申立について
１．本件特許発明
　本件訂正請求により訂正された訂正請求項１ないし９に係る発明（以下、それぞれ「本件特許発明１」ないし「本件特許発明９」という。）は、その特許請求の範囲の請求項１ないし９に記載された次の事項により特定されるとおりのものである。
「【請求項１】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え、
前記期間設定情報は、
第１投稿情報内容に第１表示期間を予め対応付けるとともに、前記第１投稿情報内容とは異なる第２投稿情報内容に前記第１表示期間とは異なる第２表示期間を予め対応付けた情報であり、
前記設定手段は、
前記投稿情報から前記第１投稿情報内容が抽出される場合に、前記第１表示期間を前記投稿情報に設定し、
前記投稿情報から前記第２投稿情報内容が抽出される場合に、前記第２表示期間を前記投稿情報に設定することを特徴とする情報処理システム。
　　【請求項２】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え、
前記期間設定情報は、
前記投稿情報内容の優先度を示す情報を含み、
前記設定手段は、
単一の投稿情報から複数の投稿情報内容が抽出される場合に、前記複数の投稿情報内容に応じて複数の表示期間を、前記単一の投稿情報に設定し、
前記出力情報生成手段は、
前記複数の表示期間が重なる期間において、前記期間設定情報に含まれる前記優先度に基づいて、前記単一の投稿情報の出力情報を生成することを特徴とする情報処理システム。
　　【請求項３】
　　（削除）
　　【請求項４】
投稿情報の投稿者を識別する投稿者識別情報を取得する投稿情報取得手段と、
前記投稿者識別情報と、前記投稿情報を表示する期間である表示期間と、を予め対応づけた情報である期間設定情報を記憶する記憶手段と、
前記投稿者識別情報に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理システム。
　　【請求項５】
投稿情報の閲覧者を識別する閲覧者識別情報を取得する投稿情報取得手段と、
前記閲覧者識別情報と、前記投稿情報を表示する期間である表示期間と、を予め対応づけた情報である期間設定情報を記憶する記憶手段と、
前記閲覧者識別情報に応じた前記表示期間を、前記投稿情報に設定する設定手段と、
前記投稿情報に設定された前記表示期間に応じて表示態様を変えた前記投稿情報の出力情報を生成する出力情報生成手段と、
を備えることを特徴とする情報処理システム。
　　【請求項６】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え、
前記期間設定情報は、
第１投稿情報内容に第１表示期間を予め対応付けるとともに、前記第１投稿情報内容とは異なる第２投稿情報内容に前記第１表示期間とは異なる第２表示期間を予め対応付けた情報であり、
前記設定手段は、
前記投稿情報から前記第１投稿情報内容が抽出される場合に、前記第１表示期間を前記投稿情報に設定し、
前記投稿情報から前記第２投稿情報内容が抽出される場合に、前記第２表示期間を前記投稿情報に設定することを特徴とする情報処理装置。
　　【請求項７】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え、
前記期間設定情報は、
第１投稿情報内容に第１表示期間を予め対応付けるとともに、前記第１投稿情報内容とは異なる第２投稿情報内容に前記第１表示期間とは異なる第２表示期間を予め対応付けた情報であり、
前記設定手段は、
前記投稿情報から前記第１投稿情報内容が抽出される場合に、前記第１表示期間を前記投稿情報に設定し、
前記投稿情報から前記第２投稿情報内容が抽出される場合に、前記第２表示期間を前記投稿情報に設定することを特徴とする情報処理サーバ。
　　【請求項８】
投稿情報を取得するステップと、
前記投稿情報の内容を示す情報である投稿情報内容と、前記投稿情報を表示する期間である表示期間と、を予め対応づけた情報である期間設定情報を記憶するステップであって、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報である、ステップと、
前記投稿情報から投稿情報内容を抽出し、前記投稿情報内容に応じた前記表示期間を、前記投稿情報に設定するステップであって、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する、ステップと、
前記投稿情報に設定された前記表示期間に応じて表示態様を変えた前記投稿情報の出力情報を生成するステップと、
をコンピュータに実行させることを特徴とする情報処理方法。
　　【請求項９】
投稿情報を取得するステップと、
前記投稿情報の内容を示す情報である投稿情報内容と、前記投稿情報を表示する期間である表示期間と、を予め対応づけた情報である期間設定情報を記憶するステップであって、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報である、ステップと、
前記投稿情報から投稿情報内容を抽出し、前記投稿情報内容に応じた前記表示期間を、前記投稿情報に設定するステップであって、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する、ステップと、
前記投稿情報に設定された前記表示期間に応じて表示態様を変えた前記投稿情報の出力情報を生成するステップと、
をコンピュータに実行させることを特徴とする情報処理プログラム。」
２．取消理由の概要
　訂正前の請求項１−９に係る特許に対して平成２９年６月１５日付けで特許権者に通知した取消理由は、要旨次のとおりである。
ア．取消理由
　請求項１−９に係る発明は、下記の甲第１号証、及び甲第２号証に基づいて当業者が容易に発明をすることができたものであって、請求項１−９に係る発明についての特許は、特許法第２９条第２項の規定に違反してされたものである。 
記
　甲第１号証：　特開２０１１−２４７８３２号公報 
　甲第２号証：　特開２０１０−１５０１３号公報 
　
３．甲号証の記載事項
（１）甲第１号証の記載事項
　甲第１号証には、図面と共に以下の事項が記載されている。（下線は、当審において付加した。以下、同じ。）
ア．「【０００１】
  本発明は、車載用表示装置および表示方法に関する。」
　
イ．「【０００６】
【特許文献１】特開２００７−２７８８０７号公報
【発明の概要】
【発明が解決しようとする課題】
【０００７】
　しかしながら、従来技術では、ユーザが車載装置に表示された投稿情報の内容を一見して把握することができず、投稿情報の閲覧や投稿が安全運転に悪影響を及ぼす恐れがあるという課題があった。
【０００８】
　具体的には、従来の車載装置は、リアルタイムで取得したブログ記事やツイートなどの投稿情報を全て画面上に表示するので、運転者などのユーザは、車載装置に表示された膨大な投稿情報それぞれの内容を一見して把握することができない。このため、運転者は、投稿情報の内容を閲覧するために車載装置を操作するなどわき見運転をしなければならず、運転に集中できない状態が発生し安全運転に悪影響がある。また、運転者は、車載装置を直接操作して投稿情報を投稿する必要があり、この場合も運転に集中できない状態が発生し安全運転に悪影響がある。このように、運転中に複雑な操作をドライバーに求めるのは好ましくない。
【０００９】
　一方、安全運転の確保を考慮した場合、運転を終えた後に、車載装置に表示される投稿情報を閲覧したり、投稿情報を投稿したりすることも考えられる。ところが、これらの場合、運転を終えた頃には情報が古いものとなってしまい、リアルタイム性が損なわれ、有益な情報をリアルタイムに発信することができず、ブログやツイッター（登録商標）などの有効性を活用することができない。
【００１０】
　開示の技術は、上記に鑑みてなされたものであって、安全運転を阻害することなく、車載装置に表示された投稿情報の内容を一見して把握することが可能である車載用表示装置および表示方法を提供することを目的とする。」
ウ．「【００１５】
［全体構成］
　図１は、実施例１にかかる車載用表示装置を含むシステムの全体構成を示す図である。
図１に示すように、このシステムは、ツイッターサーバ１と音声合成サーバ２と地図サーバ３と音声認識サーバ４と、自動車等の車内１０に設置される車載用表示装置１１とを有する
【００１６】
　
ツイッターサーバ１は、ユーザＩＤによって識別される個々のユーザが携帯電話などを用いて投稿したツイートなどの投稿情報を記憶する投稿情報サーバである。また、ツイッターサーバ１は、投稿された情報に音声データが付加されている場合には、付加されている音声データを音声合成サーバ２に格納する。また、ツイッターサーバ１は、投稿された情報に地図データが付加されている場合には、付加されている地図データを地図サーバ３に格納する
【００１７】
　
そして、ツイッターサーバ１は、ユーザが投稿情報の取得要求を受信した場合に、記憶する投稿情報をユーザの携帯電話に送信する。例えば、ツイッターサーバ１は、前回の取得要求から今回の取得要求の間に蓄積された投稿情報を送信する
　・・・中略・・・
【００２２】
　
車載用表示装置１１は、車内１０に設置される装置であり、通信装置２０と車載機５０とを有する
エ．「【００２８】
（ツイッターサーバ１の構成）
　
ツイッターサーバ１は、図２に示すように、カテゴリＤＢ（DataBase）１ａと、投稿情報ＤＢ１ｂと、アーカイブＤＢ１ｃと、投稿情報制御部１ｄとを有する
【００２９】
　
カテゴリＤＢ１ａは、投稿情報のカテゴリと投稿されてからの経過時間とに対応付けて、当該カテゴリの表示手法を記憶する。図３は、カテゴリＤＢに記憶される情報の例を示す図である。図３に示すように、カテゴリＤＢ１ａは、「番号、タグ、分類カテゴリ、経過時間、表示手法」を対応付けて記憶する。ここで記憶される「番号」は、カテゴリに記憶されるレコードの識別子であり、「タグ」は、ツイートなどの投稿情報に含まれるハッシュタグを示す。「分類カテゴリ」は、投稿情報が分類されるカテゴリを示し、「経過時間」は、投稿情報が投稿されてから、投稿情報取得部２９から取得要求を受信するまでの経過時間を示し、「表示手法」は、投稿情報を車載機５０に表示する際の形式や色を示す
【００３０】
　図３に示す番号「１〜５」には、「タグ＝＃Tra」を有する投稿情報が「分類カテゴリ＝交通／Traffic」に分類され、「経過時間」によって「表示手法」が決定されることを示す。例えば、番号が「１」の「タグ＝＃Tra、分類＝交通／Traffic、経過時間＝５分以内」の投稿情報は、「吹き出し型のローズ色のアイコン」で地図データ上に表示される。同様に、番号が「２」の「タグ＝＃Tra、分類＝交通／Traffic、経過時間＝３０分以内」の投稿情報は、「吹き出し型のピンク色のアイコン」で地図データ上に表示される。番号が「３」の「タグ＝＃Tra、分類＝交通／Traffic、経過時間＝１時間未満」の投稿情報は、「赤色の一般的なアイコン」で地図データ上に表示される。番号が「４」の「タグ＝＃Tra、分類＝交通／Traffic、経過時間＝１２時間未満」の投稿情報は、「濃い赤色の一般的なアイコン」で地図データ上に表示される。番号が「５」の「タグ＝＃Tra、分類＝交通／Traffic、経過時間＝１２時間以上」の投稿情報は、地図データ上に表示されずに「削除」される。
【００３１】
　すなわち、「タグ＝＃Tra」を有する「交通／Traffic」にカテゴライズされる投稿情報は、ツイッターサーバ１に投稿されてから車載用表示装置１１に取得されるまでの経過時間が短いほど、明るい赤系の色で表示され、経過時間が長いほど、暗い赤系の色で表示されるように、グラデーションで表示される。」
オ．「【００４２】
　図２に戻り、
投稿情報ＤＢ１ｂは、ツイッターサーバ１において取得された投稿情報と当該投稿情報の表示手法を記憶する。図５は、投稿情報ＤＢに記憶される情報の例を示す図である。図５に示すように、投稿情報ＤＢ１ｂは、「投稿日時、タグ、内容、位置情報、動画像、音声、分類結果、経過時間、表示手法」を対応付けて記憶する。なお、投稿情報ＤＢ１ｂに記憶される投稿情報は、経過時間が１日以上のもの、または、ＤＢの容量が所定値未満となった場合など、所定の契機で古い情報から削除される
【００４３】
　ここで記憶される「投稿日時」は、投稿情報が投稿された日時を示し、「タグ」は、ツイートなどの投稿情報に含まれるハッシュタグを示す。「内容」は、投稿された内容、言い換えると、つぶやかれた内容を示し、「位置情報」は、投稿情報の表示位置を示す。また、「動画像」は、投稿情報に付加されている動画像データがあるか否かを示し、ある場合にはファイル名が格納され、ない場合には「−」が格納される。「音声」は、投稿情報に付加されている音声データがあるか否かを示し、ある場合にはファイル名が格納され、ない場合には「−」が格納される。「分類結果」は、後述する地図生成部３０によって分離された結果が格納され、分類できなかった場合には「−」が格納されて表示対象から除外される。「経過時間」は、投稿情報が投稿されてから現在までの経過時間を示し、「表示手法」は、表示変更部３１によって決定された投稿情報の表示手法を示す。」
カ．「【００５０】
　
投稿情報制御部１ｄは、投稿情報の受信および送信を制御する。例えば、投稿情報制御部１ｄは、ユーザの携帯電話等から投稿情報を受信した場合に、当該投稿情報として「投稿日時、タグ、内容、位置情報、動画像、音声」として「2010/05/11  12:00:15、＃Tra、渋滞中、東京都○○、渋滞.mpeg、音声あり」から構成される投稿情報を取得する。なお、ここで取得される「投稿日時、タグ、内容、位置情報、動画像、音声」は、図５と同様なので、詳細な説明は省略する。この時点では、投稿情報ＤＢ１ｂには、投稿情報自体に含まれる「投稿日時、タグ、内容、位置情報、動画像、音声」のみが格納され、「分類結果、経過時間、表示手法」については未格納である
【００５１】
　その後、
投稿情報制御部１ｄは、通信装置２０から投稿情報の取得要求を受信した場合に、要求受信時間（現在時刻）と投稿情報が投稿された時間とから「経過時間」を算出して投稿情報ＤＢ１ｂに格納する。さらに、投稿情報制御部１ｄは、投稿情報ＤＢ１ｂの各レコードについて、「タグ」に対応する「表示手法」と「カテゴリ」とをカテゴリＤＢ１ａから特定して、投稿情報ＤＢ１ｂに格納する。そして、投稿情報制御部１ｄは、投稿情報ＤＢ１ｂにおいて「表示手法」と「カテゴリ」が「−」でない投稿情報を通信装置２０に送信する
【００５２】
　例えば、現在時刻が「2010/4/26  12:00:00」であり、投稿情報「2010/4/26  11:58:00、＃Inf、安全運転、山陽道○○インター付近、動画像なし、音声なし」の表示手法の決定例を説明する。この場合、投稿情報制御部１ｄは、投稿情報の「ハッシュタグ＝＃Inf」と一致するタグをカテゴリＤＢ１ａから検索する。そして、投稿情報制御部１ｄは、「ハッシュタグ＝＃Inf」に一致するタグが存在するので、このタグ「＃Inf」に対応するカテゴリを「お知らせ」と特定する。続いて、投稿情報制御部１ｄは、現在時刻「2010/4/26  12:00:00」と投稿情報「2010/4/26  11:58:00」との差分から、経過時間が「2分」であると算出する。そして、投稿情報制御部１ｄは、カテゴリＤＢ１ａを参照し、カテゴリ「お知らせ」と「経過時間「2分」とを満たす「表示手法」が「吹き出し型のスカイブルー色のアイコン」であると特定する。
【００５３】
　この結果、投稿情報制御部１ｄは、投稿情報「2010/4/26  11:58:00、＃Inf、安全運転、山陽道○○インター付近、動画像なし、音声なし」にカテゴリ「お知らせ」、経過時間「2分」、表示手法「アイコン（吹き出し）、スカイブルー」を対応付けて投稿情報ＤＢ１ｂに格納する。」
キ．「【０１２３】
（その他）
　例えば、
表示変更部３１は、自装置が搭載される自車両の位置、現在時刻、現在の天気、現在の季節、自車両の運転者に関する各種情報を示すプロフィールなどに基づいて、表示手法を変更することもできる
【０１２４】
　また、表示変更部３１は、現在の季節が「夏」である場合に、「豪雪」や「紅葉」など「夏」とは関係性が低い投稿情報を表示させないようにすることもできる。また、表示変更部３１は、ユーザの趣味、指定されたカテゴリなどを示すプロフィールと一致する投稿情報のみを表示させることもできる。なお、各投稿情報の判断は、投稿情報の内容から判定することができる。
【０１２５】
　これら以外にも、例えば投稿情報としてツイッター（登録商標）を用いた場合、フォローしているユーザの投稿情報や自分の投稿情報を他の投稿情報と区別して表示することもできる。一例としては、
フォローしているユーザの投稿情報や自分の投稿情報を太い枠で表示し、他の投稿情報を細い枠で表示する
ク．「【０１４０】
（表示レートの変更）
　例えば、通信装置２０は、地図データ上に所定数以上の投稿情報が表示されている場合には、投稿情報の表示数が所定数未満になるように、地図データに表示させると決定する経過時間の閾値を変更する。一例としては、「経過時間」が「１２時間以内」の投稿情報を地図データに表示させている場合に、地図データに表示される投稿情報の数が所定数（例えば、５０）以上になったとする。この場合、通信装置２０は、「経過時間」が「６時間以内」のみ投稿情報を表示させるように、経過時間の閾値を変更することができる。また、通信装置２０は、地図データに表示される投稿情報の数が所定数（例えば、５０）未満になるように、表示対象とする「経過時間」を動的に変更することもできる。」
ケ．　図１　　
コ．　図２
サ．　図３　　
シ．　図５
・図３によれば、カテゴリＤＢ１ａにおいて投稿情報の「分類カテゴリ」と「タグ」は対応しており、また、「表示手法」は、「タグ」の種類に関わらず、同じ「経過時間」では色は異なるがその他の「表示手法」は同じものであり、「経過時間」が１２時間以上では「タグ」によらず表示を削除するものと認められる。
　　
　以上を総合すると、甲第１号証には、以下の発明（以下、「甲１発明１」という。）が開示されていると認められる。
「ツイッターサーバ１と音声合成サーバ２と地図サーバ３と音声認識サーバ４と、通信装置２０と車載機５０とを有し自動車等の車内１０に設置される車載用表示装置１１とからなるシステムにおいて、
　前記ツイッターサーバ１は、 ユーザＩＤによって識別される個々のユーザが携帯電話などを用いて投稿したツイートなどの投稿情報を記憶する投稿情報サーバであって、さらに、投稿された情報に音声データが付加されている場合には、付加されている音声データを音声合成サーバ２に格納し、また、投稿された情報に地図データが付加されている場合には、付加されている地図データを地図サーバ３に格納し、
　前記ツイッターサーバ１は、ユーザが投稿情報の取得要求を受信した場合に、前回の取得要求から今回の取得要求の間に蓄積された投稿情報を送信するものであり、
　前記ツイッターサーバ１は、カテゴリＤＢ（DataBase）１ａと、投稿情報ＤＢ１ｂと、アーカイブＤＢ１ｃと、投稿情報制御部１ｄとを有し、
　前記カテゴリＤＢ１ａは、投稿情報のカテゴリと投稿されてからの経過時間とに対応付けて、当該カテゴリの表示手法を記憶するものであって、「番号、タグ、分類カテゴリ、経過時間、表示手法」を対応付けて記憶し、ここで記憶される「番号」は、カテゴリに記憶されるレコードの識別子であり、「タグ」は、ツイートなどの投稿情報に含まれるハッシュタグを示し、「分類カテゴリ」は、「タグ」に対応し投稿情報が分類されるカテゴリを示し、「経過時間」は、投稿情報が投稿されてから、投稿情報取得部２９から取得要求を受信するまでの経過時間を示し、「表示手法」は、投稿情報を車載機５０に表示する際の形式や色を示すものであって、タグの種類に関わらず、同じ経過時間では色は異なるもののその他は同じものであり、経過時間が１２時間以上では「タグ」によらず表示を削除するものであって
　前記投稿情報ＤＢ１ｂは、ツイッターサーバ１において取得された投稿情報と当該投稿情報の表示手法を記憶し、「投稿日時、タグ、内容、位置情報、動画像、音声、分類結果（カテゴリ）、経過時間、表示手法」を対応付けて記憶するものであり、
　前記投稿情報制御部１ｄは、投稿情報の受信および送信を制御するものであり、ユーザの携帯電話等から投稿情報を受信した場合に、「投稿日時、タグ、内容、位置情報、動画像、音声」から構成される投稿情報を取得し、投稿情報ＤＢ１ｂに、投稿情報自体に含まれる「投稿日時、タグ、内容、位置情報、動画像、音声」のみ格納し、「分類結果（カテゴリ）、経過時間、表示手法」については未格納とするものであって、
　前記投稿情報制御部１ｄは、通信装置２０から投稿情報の取得要求を受信した場合に、要求受信時間（現在時刻）と投稿情報が投稿された時間とから「経過時間」を算出して投稿情報ＤＢ１ｂに格納し、さらに、投稿情報ＤＢ１ｂの各レコードについて、「タグ」に対応する「表示手法」と「カテゴリ」とをカテゴリＤＢ１ａから特定して、投稿情報ＤＢ１ｂに格納し、投稿情報ＤＢ１ｂにおいて「表示手法」と「分類結果（カテゴリ）」が「−」でない投稿情報を通信装置２０に送信する、
　システム。」
　また、甲第１号証には、以下の発明（以下、「甲１発明２」という。）が開示されていると認められる。
「ツイッターサーバ１と音声合成サーバ２と地図サーバ３と音声認識サーバ４と、自動車等の車内１０に設置される通信装置２０と車載機５０とを有する車載用表示装置１１とからなるシステムであって、
　前記ツイッターサーバ１は、 ユーザＩＤによって識別される個々のユーザが携帯電話などを用いて投稿したツイートなどの投稿情報を記憶する投稿情報サーバであって、さらに、投稿された情報に音声データが付加されている場合には、付加されている音声データを音声合成サーバ２に格納し、また、投稿された情報に地図データが付加されている場合には、付加されている地図データを地図サーバ３に格納し、
　前記ツイッターサーバ１は、ユーザが投稿情報の取得要求を受信した場合に、前回の取得要求から今回の取得要求の間に蓄積された投稿情報を送信するものであって、
　フォローしているユーザの投稿情報や自分の投稿情報を太い枠で表示し、他の投稿情報を細い枠で表示する、
　システム。」
（２）甲第２号証の記載事項
　甲第２号証には、図面と共に以下の事項が記載されている。
ア．「【０００７】
　しかしながら、上述した地図情報生成装置は、アイコン画像の表示の可否を種類情報毎にしか決定できない。従って、
１つの種類情報と対応付けられたアイコン画像のうちの、ある領域内の位置と対応付けられたアイコン画像が比較的多数、存在している場合、地図情報生成装置は、この領域内にこれらのアイコン画像が配置された画像を表す地図情報を生成する
【０００８】
　
従って、この地図情報が表す画像をユーザが閲覧した場合には、上記領域内にてアイコン画像が重なってしまうので、ユーザがアイコン画像を閲覧しにくいという問題があった
【０００９】
　このため、本発明の目的は、上述した課題である「ユーザがアイコン画像を閲覧しにくいこと」を解決することが可能な地図情報生成装置を提供することにある。」
イ．「【００４８】
＜実施形態＞
　図１を参照すると、本発明の実施形態に係る地図情報生成システム１は、情報端末（クライアント装置）１００と、サーバ（サーバ装置、地図情報生成装置）２００と、を含む。情報端末１００とサーバ２００とは、互いに通信可能に接続されている。
【００４９】
　情報端末１００は、
ユーザ（利用者）がコンテンツを投稿する
ウ．「【００６８】
　更に、コンテンツ表示優先度計算部２０６は、
抽出したコンテンツ情報のそれぞれに対して優先度を算出する
　具体的には、コンテンツ表示優先度計算部２０６は、コンテンツ情報と対応付けられた登録要求時刻情報（第１の優先度基礎情報）が表す時刻と、時刻情報取得部２０２により取得された地図要求時刻情報（第２の優先度基礎情報）が表す時刻と、が近くなるほど、そのコンテンツ情報に対して算出される優先度を高くする。」
エ．「【００７２】
　
表示コンテンツ選択部２０７は、抽出したコンテンツ情報のうちの、上記表示領域の一部である判定領域内の位置を表す位置情報と対応付けられたコンテンツ情報の数（判定領域内情報数）が予め設定された閾値数よりも大きいか否かを判定する。表示コンテンツ選択部２０７は、判定領域内情報数が閾値数よりも大きいと判定した場合に、判定領域内情報数が閾値数となるように、上記抽出したコンテンツ情報から判定領域内の位置を表す位置情報と対応付けられたコンテンツ情報の一部を除いた残余のコンテンツ情報を、表示させるためのコンテンツ情報として選択する
【００７３】
　
このとき、表示コンテンツ選択部２０７は、コンテンツ表示優先度計算部２０６により算出された優先度が高いコンテンツ情報を、コンテンツ表示優先度計算部２０６により算出された優先度が低いコンテンツ情報よりも優先して選択する
【００７４】
　具体的に述べると、先ず、
表示コンテンツ選択部２０７は、抽出したコンテンツ情報を、コンテンツ表示優先度計算部２０６により算出された優先度が高い順に１つずつ選択する
【００７５】
　そして、
表示コンテンツ選択部２０７は、選択したコンテンツ情報に対応付けられた位置情報が表す位置にそのコンテンツ情報を表すアイコン画像を、既に表示させることが決定されている他のコンテンツ情報を表すアイコン画像とともに配置した場合において、下記の第１の条件及び第２の条件の少なくとも一方が成立するとき、上記選択したコンテンツ情報を表示させないと決定し、第１の条件及び第２の条件の両方が成立しないとき、上記選択したコンテンツ情報を表示させると決定する
【００７６】
　
第１の条件は、複数のアイコン画像が互いに重なるという条件である
【００７７】
　
また、第２の条件は、上記閾値数よりも多いアイコン画像が、任意の位置に中心を有し且つ予め定められた半径を有する円内の領域に存在するという条件である
【００７８】
　このようにして、表示コンテンツ選択部２０７は、抽出したコンテンツ情報の中から、表示させるためのコンテンツ情報を選択する。」
　以上を総合すると、甲第２号証には、以下の発明（以下、「甲第２号証に記載の技術事項」という。）が開示されていると認められる。
「投稿したコンテンツ情報に優先度を算出し、優先度が高い順にコンテンツ情報を示すアイコン画像を、他のアイコン画像と重ならないように、また、所定の領域内のアイコンの数が閾値以下となるように表示する。」 
４．対比・判断
ア．取消理由通知に記載した取消理由について
（ア）本件特許発明１について
　本件特許発明１と甲１発明１とを対比すると以下のとおりである。
ａ．甲１発明１の「投稿情報制御部１ｄ」は、「投稿情報の受信および送信を制御すもの」であるから、本件特許発明１の「投稿情報を取得する投稿情報取得手段」に相当する。
ｂ．甲１発明１の「タグ」は、「ツイートなどの投稿情報に含まれるハッシュタグ」であって、ツイートの「ハッシュタグ」は投稿情報の内容に応じて付けられるものであることは技術常識であり、さらに、甲１発明１では、「カテゴリ」と「タグ」は対応するものであるから、甲１発明１の「タグ」及び「カテゴリ」は、本件特許発明１の「投稿情報の内容を示す情報である投稿情報内容」に相当する。
　また、甲１発明１の「表示手法」は、投稿情報を表示する期間ではないが、「投稿情報を車載機５０に表示する際の形式や色を示すもの」であり、投稿情報の表示に関する情報であることから、甲１発明１の「表示手法」と、本件特許発明１の「前記投稿情報を表示する期間である表示期間」とは、「前記投稿情報の表示に関する情報」の点では共通する。
　そして、甲１発明１の「カテゴリＤＢ１ａ」は、「投稿情報のカテゴリと投稿されてからの経過時間とに対応付けて、当該カテゴリの表示手法を記憶」したものであるから、甲１発明１の「カテゴリＤＢ１ａ」と、本件特許発明１の「前記投稿情報の内容を示す情報である投稿情報内容と、前記投稿情報を表示する期間である表示期間と、を予め対応づけた情報である期間設定情報を記憶する記憶手段」とは、「前記投稿情報の内容を示す情報である投稿情報内容と、前記投稿情報の表示に関する情報と、を予め対応づけた情報である表示設定情報を記憶する記憶手段」の点では共通する。
ｃ．甲１発明１の「投稿情報制御部１ｄ」は、「投稿情報」の「タグ」から対応する「表示手法」と「カテゴリ」とを「カテゴリＤＢ１ａから特定」するものであるから、甲１発明１の「投稿情報制御部１ｄ」と、本件特許発明１の「前記投稿情報から投稿情報内容を抽出し、前記投稿情報内容に応じた前記表示期間を、前記投稿情報に設定する設定手段」とは、「前記投稿情報から投稿情報内容を抽出し、前記投稿情報内容に応じた前記表示に関する情報を、前記投稿情報に設定する設定手段」の点では共通する。
ｄ．甲１発明１の「表示手法」が示す「投稿情報を車載機５０に表示する際の形式や色」は、本件特許発明１の「表示態様」に相当する。
　そして、甲１発明１の「投稿情報制御部１ｄ」は、「投稿情報ＤＢ１ｂにおいて「表示手法」と「分類結果（カテゴリ）」が「−」でない投稿情報を通信装置２０に送信する」ものであり、送信される「投稿情報」に「表示手法」が指定された情報は、表示態様を変えた投稿情報の出力情報といえるから、甲１発明１の「投稿情報制御部１ｄ」と、本件特許発明１の「前記投稿情報に設定された前記表示期間に応じて表示態様を変えた前記投稿情報の出力情報を生成する出力情報生成手段」とは、「前記投稿情報に設定された前記表示に関する情報に応じて表示態様を変えた前記投稿情報の出力情報を生成する出力情報生成手段」の点では共通する。
ｅ．甲１発明の「システム」は、本件特許発明１の「情報処理システム」に相当する。　
　そうすると、両者は、
＜一致点＞
「投稿情報を取得する投稿情報取得手段と、
前記投稿情報の内容を示す情報である投稿情報内容と、前記投稿情報の表示に関する情報と、を予め対応づけた情報である表示設定情報を記憶する記憶手段と、
前記投稿情報から投稿情報内容を抽出し、前記投稿情報内容に応じた前記表示に関する情報を、前記投稿情報に設定する設定手段
前記投稿情報に設定された前記表示に関する情報に応じて表示態様を変えた前記投稿情報の出力情報を生成する出力情報生成手段
　を備える情報処理システム。」 
の点で一致し、次の点で相違する。
＜相違点＞
＜相違点１＞ 
　一致点の上記「記憶手段」が記憶する「表示設定情報」が、本件特許発明１では、「投稿情報内容」と「表示期間」を対応づけた「期間設定情報」であって、さらに、該「期間設定情報」が「第１投稿情報内容に第１表示期間を予め対応付けるとともに、前記第１投稿情報内容とは異なる第２投稿情報内容に前記第１表示期間とは異なる第２表示期間を予め対応付けた情報であ」るのに対して、甲１発明１では、「投稿情報」の「カテゴリ」と「経過時間」と対応づけられた「表示手法」であって、そのような内容に応じて期間が異なるものではない点。
  
 ＜相違点２＞ 
　一致点の上記「設定手段」が、本件特許発明１では、「前記表示期間を、前記投稿情報に設定」するものであって、さらに、「前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定す」るのに対して、甲１発明１では、「表示手法」を投稿情報に設定するものであって、そのような内容に応じて異なる期間を設定するものではない点。
  
 ＜相違点３＞ 
　一致点の上記「出力情報生成手段」が、本件特許発明１では、「前記投稿情報に設定された前記表示期間に応じて表示態様を変え」るのに対して、甲１発明１では、「投稿情報」に設定された「表示手法」に応じて表示態様を変える点。
　相違点１について検討する。
　甲第２号証には、投稿情報の優先度を算出し、優先度に応じて投稿情報を表示するという技術事項は記載されているが、投稿情報の内容に応じて表示期間を設定することは記載されていない。
　よって、甲1発明１において上記相違点１に係る本件特許発明１の構成は、当業者が容易に採用し得たものではない。
　したがって、本件特許発明１は、当業者が甲第１−２号証に基づいて容易に発明をすることができたものではない。
　特許異議申立人は、平成２９年９月２６日付け意見書（１頁下から１０行−２頁２１行）において、甲第１号証の段落【０１４０】には、「通信装置２０は、「経過時間」が「６時間以内」のみ投稿情報を表示させるように、経過時間の閾値を変更することができる。また、通信装置２０は、地図データに表示される投稿情報の数が所定数（例えば、５０）未満になるように、表示対象とする「経過時間」を動的に変更することもできる。」と開示されており、甲第１号証では、投稿情報を表示させる「経過時間」を変更することができると記載されていることから、この「経過時間」をタグ毎に異なる時間に変更することができる旨十分に示唆されていた旨主張している。
　しかしながら、この甲第１号証の段落【０１４０】の記載は、段落【０１４０】に 「通信装置２０は、地図データ上に所定数以上の投稿情報が表示されている場合には、投稿情報の表示数が所定数未満になるように、地図データに表示させると決定する経過時間の閾値を変更する。」際の記載であり、「投稿情報」の数に応じて「経過時間」を変更するものであって、「投稿情報」の内容に応じて「経過時間」を変更するものではない。
（イ）本件特許発明２について
   本件特許発明２は、本件特許発明１の「前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報であり、前記設定手段は、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定すること」を、「前記期間設定情報は、前記投稿情報内容の優先度を示す情報を含み、前記設定手段は、単一の投稿情報から複数の投稿情報内容が抽出される場合に、前記複数の投稿情報内容に応じて複数の表示期間を、前記単一の投稿情報に設定し、前記出力情報生成手段は、前記複数の表示期間が重なる期間において、前記期間設定情報に含まれる前記優先度に基づいて、前記単一の投稿情報の出力情報を生成すること」としたものであるから、
　
　本件特許発明２と甲１発明１とは、
＜一致点＞
「投稿情報を取得する投稿情報取得手段と、
前記投稿情報の内容を示す情報である投稿情報内容と、前記投稿情報の表示に関する情報と、を予め対応づけた情報である表示設定情報を記憶する記憶手段と、
前記投稿情報から投稿情報内容を抽出し、前記投稿情報内容に応じた前記表示に関する情報を、前記投稿情報に設定する設定手段
前記投稿情報に設定された前記表示に関する情報に応じて表示態様を変えた前記投稿情報の出力情報を生成する出力情報生成手段
　を備える情報処理システム。」 
の点で一致し、次の点で相違する。
＜相違点＞
＜相違点４＞ 
　一致点の上記「記憶手段」が記憶する「表示設定情報」が、本件特許発明２では、「投稿情報内容」と「表示期間」を対応づけた「期間設定情報」であって、さらに、該「期間設定情報」は「前記投稿情報内容の優先度を示す情報を含」むのに対して、甲１発明１では、「投稿情報」の「カテゴリ」と経過時間との対応づけられた「表示手法」であって、そのような優先度を示す情報を含んでいない点。
  
 ＜相違点５＞ 
　一致点の上記「設定手段」が、本件特許発明２では、「前記表示期間を、前記投稿情報に設定」するものであって、さらに、「単一の投稿情報から複数の投稿情報内容が抽出される場合に、前記複数の投稿情報内容に応じて複数の表示期間を、前記単一の投稿情報に設定」するのに対して、甲１発明１では、「表示手法」を投稿情報に設定するものであって、単一の投稿情報から複数の投稿情報内容が抽出される場合に関して特定されていない点。
  
 ＜相違点６＞ 
　一致点の上記「出力情報生成手段」が、本件特許発明２では、「前記投稿情報に設定された前記表示期間に応じて表示態様を変え」るものであり、さらに、「前記複数の表示期間が重なる期間において、前記期間設定情報に含まれる前記優先度に基づいて、前記単一の投稿情報の出力情報を生成する」のに対して、甲１発明１では、「投稿情報」に設定された「表示手法」に応じて表示態様を変えるものであって、そのような優先度に基づいて出力情報を生成するものではない点。
　相違点４、６について検討する。
　甲第２号証には、上述したように「投稿したコンテンツ情報に優先度を算出し、優先度が高い順にコンテンツ情報を示すアイコン画像を、他のアイコン画像と重ならないように、また、所定の領域内のアイコンの数が閾値以下となるように表示する。」という技術事項は記載されているが、投稿情報の内容に応じて表示期間を設定することは記載されていない。
　また、甲第２号証におけるコンテンツの表示に関する優先度は、他のアイコン画像と重なる際、及び、所定の領域内のアイコンの数が閾値以上となる際に用いられるものであって、表示期間が重なる期間における際に用いられるものではない。
　よって、甲１発明１において上記相違点４、６に係る本件特許発明２の構成は、当業者が容易に採用し得たものではない。
　したがって、本件特許発明２は、当業者が甲第１−２号証に基づいて容易に発明をすることができたものではない。
（ウ）本件特許発明３について
　本件特許発明３は訂正により削除された。
（エ）本件特許発明４について
　本件特許発明４と甲１発明２とを対比すると以下のとおりである。
ａ．甲１発明２の「システム」は、「フォローしているユーザの投稿情報」を「太い枠で表示し」、「他の投稿情報を細い枠で表示する」ものであり、そのためには、投稿情報が、「フォローしているユーザ」と「他の投稿情報」のユーザとを識別するための識別情報を有し、かつ、「システム」は、該識別情報を取得する取得手段を有しているものと認められることから、甲１発明２は、本件特許発明４の「投稿情報の投稿者を識別する投稿者識別情報を取得する投稿情報取得手段」を有しているものと認められる。
ｂ．甲１発明２の「システム」が、「フォローしているユーザの投稿情報」を「太い枠で表示し」、「他の投稿情報を細い枠で表示する」ためには、「フォローしているユーザ」と「他の投稿情報」のユーザの前記識別情報に応じて、「投稿情報」を「太い枠で表示し」及び「細い枠で表示」という枠の表示に関する情報を記憶する記憶手段を、甲１発明２の「システム」が有しているものと認められる。
　また、該枠の表示に関する情報は、投稿情報を表示する期間の情報ではないが、投稿情報の表示に関する情報であることから、甲１発明２の該枠の表示に関する情報と、本件特許発明４の「前記投稿情報を表示する期間である表示期間」とは、「前記投稿情報の表示に関する情報」の点では共通する。
　してみれば、甲１発明２の前記枠の表示に関する情報を記憶する記憶手段と、本件特許発明４の「前記投稿者識別情報と、前記投稿情報を表示する期間である表示期間と、を予め対応づけた情報である期間設定情報を記憶する記憶手段」とは、「前記投稿者識別情報と、前記投稿情報の表示に関する情報と、を予め対応づけた情報である表示設定情報を記憶する記憶手段と」の点では共通する。
ｃ．さらに、甲１発明２の「システム」が、「フォローしているユーザの投稿情報」を「太い枠で表示し」、「他の投稿情報を細い枠で表示する」ためには、「フォローしているユーザ」と「他の投稿情報」のユーザの前記識別情報に応じて、投稿情報に枠の表示に関する情報を設定する設定手段を甲１発明２の「システム」が有しているものと認められることから、甲１発明２の前記投稿情報に枠の表示に関する情報を設定する設定手段と、本件特許発明４の「前記投稿者識別情報に応じた前記表示期間を、前記投稿情報に設定する設定手段」とは、「前記投稿者識別情報に応じた前記表示に関する情報を、前記投稿情報に設定する設定手段」の点では共通する。
ｄ．甲１発明２の「太い枠」、及び「細い枠」は、本件特許発明４の「表示態様」に相当する。
　そして、甲１発明２の「システム」が、「フォローしているユーザの投稿情報」を「太い枠で表示し」、「他の投稿情報を細い枠で表示する」ためには、投稿情報に設定された枠の表示に関する情報と前記投稿情報を合わせた情報を生成し出力する出力情報生成手段を甲１発明２の「システム」が有しているものと認められることから、甲１発明２の前記出力情報生成手段と、本件特許発明１の「前記投稿情報に設定された前記表示期間に応じて表示態様を変えた前記投稿情報の出力情報を生成する出力情報生成手段」とは、「前記投稿情報に設定された前記表示に関する情報に応じて表示態様を変えた前記投稿情報の出力情報を生成する出力情報生成手段」の点では共通する。
ｅ．甲１発明２の「システム」は、本件特許発明１の「情報処理システム」に相当する。　
　そうすると、両者は、
＜一致点＞
「投稿情報の投稿者を識別する投稿者識別情報を取得する投稿情報取得手段と、
前記投稿者識別情報と、前記投稿情報の表示に関する情報と、を予め対応づけた情報である表示設定情報を記憶する記憶手段と、
前記投稿者識別情報に応じた前記表示に関する情報を、前記投稿情報に設定する設定手段と、
前記投稿情報に設定された前記表示に関する情報に応じて表示態様を変えた前記投稿情報の出力情報を生成する出力情報生成手段と、
を備える、情報処理システム。」 
の点で一致し、次の点で相違する。
＜相違点＞
＜相違点７＞ 
　一致点の上記「記憶手段」が記憶する「表示設定情報」が、本件特許発明４では、「投稿者識別情報」と「表示期間」を対応づけた「期間設定情報」であるのに対して、甲１発明２では、「フォローしているユーザ」と枠の表示に関する情報を対応づけた情報である点。
  
 ＜相違点８＞ 
　一致点の上記「設定手段」が、本件特許発明４では、「前記表示期間を、前記投稿情報に設定」するものであるのに対して、甲１発明２では、枠の表示に関する情報を投稿情報に設定するものである点。
＜相違点９＞ 
　一致点の上記「出力情報生成手段」が、本件特許発明４では、「前記投稿情報に設定された前記表示期間に応じて表示態様を変え」るのに対して、甲１発明２では、「投稿情報」に設定された「表示手法」に応じて枠の太さ変える点。
　相違点７について検討する。
　甲第２号証には、投稿情報に優先度を算出し、優先度に応じて投稿情報を表示するという技術事項は記載されているが、投稿者を識別する情報に応じて表示期間を設定することは記載されていない。
　よって、甲１発明２において上記相違点７に係る本件特許発明４の構成は、当業者が容易に採用し得たものではない。
　したがって、本件特許発明４は、当業者が甲第１−２号証に基づいて容易に発明をすることができたものではない。
　特許異議申立人は、平成２９年９月２６日付け意見書（３頁８−２１行）において、甲第１号証には投稿者を識別する手段があることは示唆しており、また、投稿情報の投稿者を識別する投稿者識別情報と表示期間を対応づけて記憶することは、周知慣用技術（例えば、特開２００５−１１３１８号公報（以下、「周知例」という。）　段落【００７５】）である旨主張している。
　確かに、上記周知例の段落【００７５】には、
「【００７５】
　コンテンツＤＢ１６０２には、投稿者の携帯端末１から投稿されたコンテンツ、閲覧者の携帯端末１から書き込まれたコメントデータ、コンテンツ管理テーブル５０１が格納される。
コンテンツ管理テーブル１７０１には、図１７に示すように、ディスプレイ端末２'に表示されたコンテンツごとに、そのコンテンツの識別情報(コンテンツＩＤ)１７０２、そのコンテンツの投稿者の識別情報(利用者ＩＤ)１７０３、そのコンテンツを消去する時刻を示す表示期限１７０４
が登録される
　と記載されており、「コンテンツ管理テーブル１７０１」に、コンテンツ毎に、「そのコンテンツの投稿者の識別情報(利用者ＩＤ)１７０３」、「そのコンテンツを消去する時刻を示す表示期限１７０４」が登録されることが記載されている。
　しかしながら、上記周知例の段落【００９２】−【００９５】には、
「【００９２】
　
携帯端末１のユーザが、入出力機器１０３を用いて
「コンテンツを投稿する」１１０１を選択すると
投稿データ作成用画面を表示させる
この画面には
掲示板上における表示期限の入力を受け付ける表示期限入力欄１２０２
が配置されている
【００９３】
　携帯端末１の
ユーザが
表示期限の入力を行ってから送信ボタン１２０４を選択する
投稿部１１５は、投稿データ作成用画面上の投稿データ及び表示期限
メインサーバ７に送信すべく送受信機器１０４Ａから出力する
【００９４】
　
携帯端末１からの投稿要求がメインサーバ７の送受信機器１０４Ｃで受信
【００９５】
  その後、投稿受理部１６０６が、コンテンツ管理テーブル１７０１に登録されていないコンテンツＩＤをランダムに生成し、そのコンテンツＩＤと、投稿要求に含まれていた投稿データとを対応付けて、コンテンツＤＢ１６０２に格納する。さらに、
投稿受理部１６０６は、投稿データに割り当てたコンテンツＩＤ、投稿要求に含まれていた表示期限、Ｓ２００２で検索されたエントリに含まれていた利用者ＩＤ及びディスプレイ端末ＩＤを、コンテンツＩＤ１７０２、表示期限１７０４、利用者ＩＤ１７０３及びディスプレイ端末ＩＤ１７０５とする新たなエントリをコンテンツ管理テーブル１７０１に登録する
　と記載されており、表示期限はコンテンツ作成時に設定されるものであって、該表示期限を含むコンテンツがメインサーバに送られ、「コンテンツ管理テーブル１７０１」に記録されたものであるから、「コンテンツ管理テーブル１７０１」にはコンテンツ毎に、投稿者の識別情報(利用者ＩＤ)１７０３、そのコンテンツを消去する時刻を示す表示期限１７０４が登録されるが、表示期限１７０４はコンテンツに対応するものであって、投稿者に対応づけらたものではなく、また、投稿者と表示期限が予め対応づけられるものでもない。
　したがって、投稿情報の投稿者を識別する投稿者識別情報と表示期間を対応づけて記憶することは上記周知例に記載されているとは認められず、周知慣用技術であったということはできない。
（オ）本件特許発明５について
　本件特許発明５は、本件特許発明４の「投稿書」を「閲覧者」としたものであるから、
　本件特許発明５と甲１発明２では、
＜一致点＞
「投稿情報を識別する識別情報を取得する投稿情報取得手段と、
前記識別情報と、前記投稿情報の表示に関する情報と、を予め対応づけた情報である表示設定情報を記憶する記憶手段と、
前記識別情報に応じた前記表示に関する情報を、前記投稿情報に設定する設定手段と、
前記投稿情報に設定された前記表示に関する情報に応じて表示態様を変えた前記投稿情報の出力情報を生成する出力情報生成手段と、
を備える、情報処理システム。」 
の点で一致し、次の点で相違する。
＜相違点＞
＜相違点１０＞
　一定点の上記「識別情報」が、本件特許発明５では、「投稿情報の閲覧者を識別する閲覧者識別情報」であるのに対して、甲１発明２では、投稿情報の投稿者を識別する情報である点。
＜相違点１１＞ 
　一致点の上記「記憶手段」が記憶する「表示設定情報」が、本件特許発明１では、「閲覧者識別情報」と「表示期間」を対応づけた「期間設定情報」であるのに対して、甲１発明２では、「フォローしているユーザ」と枠の表示に関する情報を対応づけた情報である点。
  
＜相違点１１＞ 
　一致点の上記「設定手段」が、本件特許発明１では、「前記表示期間を、前記投稿情報に設定」するものであるのに対して、甲１発明２では、枠の表示に関する情報を投稿情報に設定するものである点。
＜相違点１２＞ 
　一致点の上記「出力情報生成手段」が、本件特許発明１では、「前記投稿情報に設定された前記表示期間に応じて表示態様を変え」るのに対して、甲１発明２では、「投稿情報」に設定された「表示手法」に応じて表示態様を変える点。
　相違点１１について検討する。
　甲第２号証には、投稿情報に優先度を算出し、優先度に応じて投稿情報を表示するという技術事項は記載されているが、投稿を識別する情報に応じて表示期間を設定することは記載されていない。
　よって、甲１発明２において上記相違点１１に係る本件特許発明５の構成は、当業者が容易に採用し得たものではない。
　したがって、本件特許発明５は、当業者が甲第１−２号証に基づいて容易に発明をすることができたものではない。
（カ）本件特許発明６−９について
　本件特許発明６は、本件特許発明１の「情報処理システム」を「情報処理装置」の観点から記載したものであり、また、本件特許得発明７は、本件特許発明１の「情報処理システム」を「情報処理サーバ」の観点から記載したものであり、また、本件特許得発明８は、本件特許発明１の「情報処理システム」を「情報処理方法」の観点から記載したものであり、また、本件特許得発明９は、本件特許発明１の「情報処理システム」を「情報処理プログラム」の観点から記載したものであり、いずれも、本件特許発明１の「期間設定情報」が「投稿情報の内容を示す情報である投稿情報内容と、前記投稿情報を表示する期間である表示期間と、を予め対応づけた情報」であって、さらに、「期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報」と同様の構成（上述の＜相違点１＞に係る本件特許発明１の構成）を有するものであるから、本件特許発明６−９は、本件特許発明１と同様に、当業者が甲第１−２号証に基づいて容易に発明をすることができたものではない。
　
イ．取消理由通知において採用しなかった特許異議申立理由について
　特許異議申立人は、本件特許の特許請求の請求項１、３、４、６−９に係る特許に対し、甲第１号証に基づく特許法第２９条第１項第３号違反を主張している。
　しかしながら、甲第１号証には、本件特許発明１、６−９の「投稿情報の内容を示す情報である投稿情報内容と、前記投稿情報を表示する期間である表示期間と、を予め対応づけた情報である期間設定情報」、及び、本件特許発明４の「投稿者識別情報と、前記投稿情報を表示する期間である表示期間と、を予め対応づけた情報である期間設定情報」は開示されていない。
　したがって、本件特許発明１、４、６−９は、甲第１号証に記載された発明ではない。
　また、訂正前の請求項３は削除された。
第４．むすび
　以上のとおりであるから、取消理由通知に記載した取消理由及び特許異議申立書に記載した異議申立ての理由によっては、本件請求項１ないし２及び４ないし９に係る特許を取り消すことはできない。
　また、他に本件請求項１ないし２及び４ないし９に係る特許を取り消すべき理由を発見しない。
　そして，請求項３に係る特許は，訂正により削除されたため，本件特許の請求項３に対して、特許異議申立人がした特許異議申立てについては、対象となる請求項が存在しない。
　よって、結論のとおり決定する。
【異議決定日】
平成２９年１２月６日（２０１７．１２．６）
【訂正の要旨】
審決（決定）の【理由】欄参照。
（５７）【特許請求の範囲】
　【請求項１】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え
、
前記期間設定情報は、
第１投稿情報内容に第１表示期間を予め対応付けるとともに、前記第１投稿情報内容とは異なる第２投稿情報内容に前記第１表示期間とは異なる第２表示期間を予め対応付けた情報であり、
前記設定手段は、
前記投稿情報から前記第１投稿情報内容が抽出される場合に、前記第１表示期間を前記投稿情報に設定し、
前記投稿情報から前記第２投稿情報内容が抽出される場合に、前記第２表示期間を前記投稿情報に設定する
　【請求項２】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え、
前記期間設定情報は、
前記投稿情報内容の優先度を示す情報を含み、
前記設定手段は、
単一の
、前記単一の投稿情報に
前記出力情報生成手段は、
前記複数の表示期間が重なる期間において、前記期間設定情報に含まれる前記優先度に基づいて、前記
単一の
　【請求項３】
（削除）
　【請求項４】
投稿情報の投稿者
を識別する
識別
を取得する投稿情報取得手段と、
前記投稿者識別情報と、前記投稿情報を表示する期間である表示期間と、を予め対応づけた情報である期間設定情報を記憶する記憶手段と、
前記投稿者識別情報に応じた前記表示期間を、前記投稿情報に設定する設定手段と、
前記投稿情報に設定された前記表示期間に応じて表示態様を変えた前記投稿情報の出力情報を生成する出力情報生成手段と、
を備える
　【請求項５】
投稿情報の閲覧者
を識別する
識別
を取得する投稿情報取得手段と、
前記閲覧者識別情報と、前記投稿情報を表示する期間である表示期間と、を予め対応づけた情報である期間設定情報を記憶する記憶手段と、
前記閲覧者識別情報に応じた前記表示期間を、前記投稿情報に設定する設定手段と、
前記投稿情報に設定された前記表示期間に応じて表示態様を変えた前記投稿情報の出力情報を生成する出力情報生成手段と、
を備える
　【請求項６】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え
、
前記期間設定情報は、
第１投稿情報内容に第１表示期間を予め対応付けるとともに、前記第１投稿情報内容とは異なる第２投稿情報内容に前記第１表示期間とは異なる第２表示期間を予め対応付けた情報であり、
前記設定手段は、
前記投稿情報から前記第１投稿情報内容が抽出される場合に、前記第１表示期間を前記投稿情報に設定し、
前記投稿情報から前記第２投稿情報内容が抽出される場合に、前記第２表示期間を前記投稿情報に設定する
　【請求項７】
投稿情報を取得する投稿情報取得手段と、
前記投稿情報の内容を示す情報である投稿情報内容と、前記投稿情報を表示する期間である表示期間と、を予め対応づけた情報である期間設定情報を記憶する記憶手段と、
前記投稿情報から投稿情報内容を抽出し、前記投稿情報内容に応じた前記表示期間を、前記投稿情報に設定する設定手段と、
前記投稿情報に設定された前記表示期間に応じて表示態様を変えた前記投稿情報の出力情報を生成する出力情報生成手段と、
を備え
、
前記期間設定情報は、
第１投稿情報内容に第１表示期間を予め対応付けるとともに、前記第１投稿情報内容とは異なる第２投稿情報内容に前記第１表示期間とは異なる第２表示期間を予め対応付けた情報であり、
前記設定手段は、
前記投稿情報から前記第１投稿情報内容が抽出される場合に、前記第１表示期間を前記投稿情報に設定し、
前記投稿情報から前記第２投稿情報内容が抽出される場合に、前記第２表示期間を前記投稿情報に設定する
　【請求項８】
投稿情報を取得するステップと、
前記投稿情報の内容を示す情報である投稿情報内容と、前記投稿情報を表示する期間である表示期間と、を予め対応づけた情報である期間設定情報を記憶するステップ
であって、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報である、ステップ
前記投稿情報から投稿情報内容を抽出し、前記投稿情報内容に応じた前記表示期間を、前記投稿情報に設定するステップ
であって、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する、ステップ
前記投稿情報に設定された前記表示期間に応じて表示態様を変えた前記投稿情報の出力情報を生成するステップと、
をコンピュータに実行させることを特徴とする情報処理方法。
　【請求項９】
投稿情報を取得するステップと、
前記投稿情報の内容を示す情報である投稿情報内容と、前記投稿情報を表示する期間である表示期間と、を予め対応づけた情報である期間設定情報を記憶するステップ
であって、前記期間設定情報は、第１投稿情報内容に第１表示期間を予め対応付けるとともに、前記第１投稿情報内容とは異なる第２投稿情報内容に前記第１表示期間とは異なる第２表示期間を予め対応付けた情報である、ステップ
前記投稿情報から投稿情報内容を抽出し、前記投稿情報内容に応じた前記表示期間を、前記投稿情報に設定するステップ
であって、前記投稿情報から前記第１投稿情報内容が抽出される場合に、前記第１表示期間を前記投稿情報に設定し、前記投稿情報から前記第２投稿情報内容が抽出される場合に、前記第２表示期間を前記投稿情報に設定する、ステップ
前記投稿情報に設定された前記表示期間に応じて表示態様を変えた前記投稿情報の出力情報を生成するステップと、
をコンピュータに実行させることを特徴とする情報処理プログラム。